(57)【特許請求の範囲】
【請求項１】
変速ケーブルを介して変速装置を操作するため、前記変速ケーブルを巻き取るために軸芯回りに回転可能な巻取体と、前記巻取体とは別体であり、前記巻取体に対して相対変位可能で、前記巻取体を一方方向に回転させる揺動回転変位式の第１操作体と、前記巻取体を他方方向に回転させる直線スライド変位式の第２操作体を備えた自転車用変速操作装置において、
前記第１操作体は、前記巻取体の軸芯に対して同芯状に配置されるとともに外周壁と底部を有し前記巻取体の軸芯周りに操作始端と操作終端との間で揺動回転可能なボス部と、このボス部から前記巻取体の軸芯に沿って延びているレバー部とからなり、
前記第２操作体は前記巻取体の軸芯に対して同芯状に配置されるとともに前記巻取体の軸芯に沿って操作始端と操作終端との間で直線移動可能であり、
前記ボス部の前記底部が前記変速操作装置の下面を構成し、前記外周壁が前記変速操作装置の側壁を構成し、前記第２操作体が前記変速操作装置の上面を構成し、
前記巻取体が前記ボス部の前記外周壁の内面の内側に形成される空間に収納されていることを特徴とする自転車用変速操作装置。
【請求項２】
前記変速操作装置は、取り付け金具を用いて自転車ハンドルバーの上面に取り付け可能であり、その際前記第１操作体のレバー部は前記自転車ハンドルバーの下面を超えて延びていることを特徴とする請求項１に記載の自転車用変速操作装置。
【請求項３】
前記第１操作体のレバー部の先端には、前記巻取体軸芯の径方向外方に延びた指当て部が形成されていることを特徴とする請求項２に記載の自転車用変速操作装置。
【請求項４】
前記第１操作体と前記第２操作体はその操作終端から操作始端への方向に付勢されていることを特徴とする請求項１〜３のいずれかに記載の自転車用変速操作装置。
【発明の詳細な説明】
【０００１】
【発明の属する技術分野】
本発明は、変速ケーブルを介して変速装置を操作するため、前記変速ケーブルを巻き取るために軸芯回りに回転可能な巻取体と、前記巻取体とは別体であり、前記巻取体に対して相対変位可能で、前記巻取体を一方方向に回転させる揺動回転変位式の第１操作体と、前記巻取体を他方方向に回転させる直線スライド変位式の第２操作体を備えた自転車用変速操作装置に関する。
【０００２】
【従来の技術】
上述した形態に類似する自転車用変速操作装置としては、例えば、特開昭６１ー２２２８８９号公報から知られており、これによれば、リング体として形成された巻取体の外周面に形成された歯に噛み合うラチェット爪を介して揺動回転式の第１操作体が変速操作装置の側壁から突き出した状態で設けられており、さらに巻取体の両端面の外縁領域にはそれぞれ変速位置を決定するラチェット歯と一時的に巻取体の位置保持を行う切り欠き部が形成されており、このラチェット歯と切り欠き部の一部を挟み込むように配置された上側ラチェットと下側ラチェットを設けた第２操作体が巻取体の回転軸芯に沿ってスライド可能に備えられている。この巻取体の変速時の一方方向の回転は揺動回転式の第１操作体によって行われ、その際操作レバーの変位は巻取体の外周面に形成された歯に噛み合うラチェット爪を介して巻取体に伝達される。巻取体の変速時の他方方向への回転は、操作体を押し下げることによりこの操作体に設けられた上側ラチェットを切り欠き部内に侵入させるとともにこの操作体に設けられた下側ラチェットを変速位置決め用ラチェットから外し、リターンバネによる作用により上側ラチェットが切り欠き部のストッパ壁に接当するまで巻取体を戻し回転させ、その後操作手段の上昇移動により下側ラチェットを変速位置決め用ラチェット歯に侵入させるとともに上側ラチェットを切り欠き部内から退避させることで実現する。
【０００３】
【発明が解決しようとする課題】
上述した従来の変速操作装置は、第１操作体のラチェット爪が巻取体の側方から突き出すため、これをさらに覆うカバー体が必要となり、変速操作装置全体の構造が大がかりなものとなる。同様に第２操作体の方も、その上側ラチェットと下側ラチェットとが巻取体の径方向外方から挟み込むような形態を採用しているため、第２操作体の構造は、巻取体の回転軸芯から局部的に側方に突き出すような形となる。巻取体の側方から突出する２つの主要な部材の存在は変速操作装置のコンパクト化の障害となるだけでなく、デザイン的にも取付の自由度に関しても問題がある。
【０００４】
本発明の目的は、巻取体の一方方向の回転を行う揺動操作式の第１操作体及び巻取体の他方方向の回転を行スライド操作式の第２操作体が巻取体の径方向外方に突出ししないような構造をもつ自転車用操作装置を提供することである。
【０００５】
【課題を解決するための手段】
上記目的を達成するため、本発明による変速操作装置では、揺動回転変位式の第１操作体は、前記巻取体の軸芯に対して同芯状に配置されるとともに外周壁と底部を有し前記巻取体の軸芯周りに操作始端と操作終端との間で揺動回転可能なボス部と、このボス部から前記巻取体の軸芯に沿って延びているレバー部とからなり、
【０００６】
直線スライド変位式の第２操作体は前記巻取体の軸芯に対して同芯状に配置されるとともに前記巻取体の軸芯に沿って操作始端と操作終端との間で直線移動可能であり、
前記ボス部の前記底部が前記変速操作装置の下面を構成し、前記外周壁が前記変速操作装置の側壁を構成し、前記第２操作体が前記変速操作装置の上面を構成し、
前記巻取体が前記ボス部の前記外周壁の内面の内側に形成される空間に収納されている。
【０００７】
上記構成によれば、揺動回転変位式の第１操作体と直線スライド変位式の第２操作体の両方が巻取体の軸芯に対して同芯状に配置されるとともに、第１操作体のボス部の前記底部が変速操作装置の下面を構成し、第２操作体が変速操作装置の上面を構成するように巻取体を上側と下側とから挟み付けている。これにより、変速操作装置の全体構造は、実質的にほぼ巻取体の外径を直径とする細い円筒体の形態となり、第１操作体のレバー部だけが、ハンドルバーに取り付けられた場合のサイクリストの変速操作を楽にするためその円筒体の底面から軸芯方向に延びているだけであり、外観がすっきりしているだけでなく、コンパクト化のために適した構造が得られたのである。
【０００８】
また、第１操作体のボス部の外周壁が前記変速操作装置の側壁を構成していることにより、変速操作装置のハウジングが不要となり、部品点数の低減とコンパクト化にさらに貢献することができる。さらに、ボス部内に巻取体を収納する構造により、一層のコンパクト化が可能となる。
【０００９】
本発明の変速操作装置は、一般的には、バンド体などの取り付け金具を用いて自転車ハンドルバーの上面に取り付けられるので、第１操作体のレバー部が取り付けられた自転車ハンドルバーの下面を超えて延びるように構成することで、ハンドルバーを握った手の親指で第２操作体を押し込み操作するとともに第１操作体をも揺動操作することが可能となり、操作性が向上する。指操作をより快適なものとするためには、第１操作体のレバー部の先端に、前記巻取体軸芯の径方向外方に延びた指当て部を形成することが好ましい。
【００１０】
第１操作体と第２操作体はその操作終端から操作始端へ戻り動作は、自動的に行なわれることが望ましいが、これは操作終端から操作始端へ方向に第１操作体と第２操作体のそれぞれが付勢されることによって達成される。付勢の方法は、磁気的手段や弾性的手段などが考えられるが、バネによる付勢がコスト的に最適である。
【００１１】
本発明によるその他の特徴と利点は以下図面を用いた発明の実施の形態の説明により明らかになるだろう。
【００１２】
【発明の実施の形態】
図１と図２に、自転車のハンドルバー１００にバンド体２とブラケット３を用いて取り付けられている本発明による自転車用変速操作装置１が示されている。この変速操作装置１は、基本的には、軸芯Ｘをもつ筒軸１０と、回転揺動操作される第１操作体２０と、クラッチ部材３０と、前記筒軸１０に固定される固定ガイド部材４０と、変速ケーブル４を巻き取るための巻取体５０と、アイドラー６０と、ベース部材７０と、第２操作体８０とから構成されている。第１操作体２０、クラッチ部材３０、固定ガイド部材４０、巻取体５０、アイドラー６０、ベース部材７０、第２操作体８０は全て軸芯Ｘに対して同芯状に配置されており、このことからこれらの全ての部材は、筒軸１０に対して軸芯Ｘの方向に挿入していくことで組み付けることができる。このことがよく理解できるように、図３には変速操作装置１の主要部材を軸芯Ｘ方向に分離させた分解図が示されており、さらに図３における矢視IVから見た平面図が図４に、図３における矢視V から見た平面図が図５に、図３における矢視VIから見た平面図が図６に、図３における矢視VII から見た平面図が図７に、図３における矢視VIIIから見た平面図が図８に、図３における矢視XIから見た平面図が図９に示されている。
【００１３】
筒軸１０はブラケット３に差し込まれた固定ボルト１５に外嵌装着され、ナット１６によって締め付け固定される。筒軸１０の外周には軸芯Ｘに平行に延びたアウタースプライン１１が形成されている。
【００１４】
第１操作体２０は揺動レバー式に構成されており、ボス部２２とこのボス部２２の底部２４の軸芯Ｘから偏芯した位置に取り付けられたレバー部２１を備えている。このレバー部２１は、この変速操作装置１がバンド体２とブラケット３を介してハンドル１００の上面に取り付けられた状態で、ハンドル１００の上面から下面に至るまで延びており、さらに下面と同レベルのところで軸芯Ｘの径方向外方に屈曲して指当て部２１ａが形成されており、サイクリストがハンドルバーのグリップを握った手の親指などで操作しやすくなっている。なお、後で詳しく述べられるが、第２操作体８０もサイクリストがハンドルバーのグリップを握った手の親指で操作しやすいようにハンドルバーの上面からそれほど高くない位置にくる。ボス部２２は、外周壁２３と中心孔２５を設けた底部２４とからなり、外周壁２３は、この変速操作装置１の外周側壁の大部分を形成している。さらに、底部２４には軸芯Ｘ方向に延びた環状突起２６が立設している。この環状突起２６の内周には軸芯Ｘに平行に延びたインナースプライン２６ａが形成されている。
【００１５】
環状突起２６の内周側で底部２４上にリング状のクラッチ部材３０が装着されている。図９から明きらかなように、クラッチ部材３０の外周には環状突起２６のインナースプライン２６ａに係合するようにアウタースプライン３０ａが形成されている。これにより、クラッチ部材３０は第１操作体２０と一体的に軸芯Ｘ周りに回転するとともに第１操作体２０に対して軸芯Ｘ方向に摺動可能である。さらにクラッチ部材３０には、その上面に１８個の係合歯部３０ｂが周方向に分布配置されているとともに、その内周には周方向に傾斜面をもった径方向突起部として形成された６個のカムフォロア３０ｃが周方向に分布配置されている。なお、第１操作体２０のボス部２２とクラッチ部材３０との間には第１バネ３５が介装されており、クラッチ部材３０を上方に押し上げ付勢している。
【００１６】
第１操作体２０の中心孔２５と筒軸１０の間に筒状の固定ガイド部材４０の下部が差し込まれている。固定ガイド部材４０の内周には、筒軸２０のアウタースプライン１１と係合するようにインナースプライン４０ａが形成されており、これにより固定ガイド部材４０は軸芯Ｘ周りの回転が不能となっている。固定ガイド部材４０の上部には鍔部４１が設けられており、図８から明らかなように、この鍔部４１の下面には周方向に傾斜面をもった６個のカム４１ａが周方向に分布配置されている。カムフォロア３０ｃとカム４１ａが対向してそれぞれの傾斜面の先端領域で接当する固定ガイド部材４０とクラッチ部材３０との相対回転位置では、クラッチ部材３０は第１バネの付勢力にもかかわらず第１操作体２の底部２４から離れないが、カムフォロア３０ｃとカム４１ａが対向しない固定ガイド部材４０とクラッチ部材３０との相対回転位置では、クラッチ部材３０は第１バネの付勢力により軸芯Ｘ方向に変位して第１操作体２の底部２４から離れる。つまりカムフォロア３０ｃとカム４１ａは、クラッチ部材３０を第１操作体２の底部２４に接当又は近接した第１位置と底部２４から離れた第２位置との間で変位させるカム機構５を作り出している。
【００１７】
巻取体５０は、中心孔５２を設けた底部５１と外周壁５３に鍋状の形態を採用しており、図７から明らかなように、その底部５１の下面にはクラッチ部材３０の係合歯部３０ｂと係合可能な１８個の被係合歯部５１ａが周方向に分布配置されている。つまり、係合歯部３０ｂと被係合歯部５１ａは、クラッチ部材３０が第１位置の時互いに離脱し、クラッチ部材３０が第２位置の時互いに係合する噛み合い機構６を作り出している。巻取体５０の外周壁５３の外周には変速ケーブル４を固定し巻き取るのためのケーブル溝５３ａが設けられており、外周壁５３の内周には軸芯Ｘ方向に延びたインナースプライン５３ｂが形成されている。第１図から明らかなようにクラッチ部材３０は、第１操作体２０のボス部２２と固定ガイド部材４０と巻取体５０によって形成される環状空間内に配置されている。
【００１８】
リング状の形態をもつアイドラー６０は、その外周に巻取体５０のインナースプライン５３ｂに係合するアウタースプライン６０ａが形成されている。これにより、アイドラー６０は、巻取体５０と一体的に軸芯Ｘ周りに回転するとともに巻取体５０に対して軸芯Ｘ方向に摺動可能である。図６から明らかなように、巻取体５０の内周は２段に形成されており、大径の方の内周面には１８個の係合歯部６０ｂが周方向に分布配置されており、その小径の方の内周面には傾斜面をもつ９個の被ガイド部６０ｃが周方向に分布配置されている。なお、巻取体５０の底部５１とアイドラー６０との間には第２バネ６５が介装されており、アイドラー６０を軸芯Ｘ方向に沿って上方に押し上げ付勢している。
【００１９】
ベース部材７０は、円筒部７１とこの円筒部７１から径方向外方に延びた円板部７２とから構成され、円板部７２の円筒部７１との境界領域に４個の貫通孔７３が周方向に分布するように設けられている。図５から明らかなように、円板部７２の下面には、アイドラー６０の係合歯部６０ｂに係合可能な１８個の被係合歯部７２ａが周方向に分布配置されている。アイドラー６０は第２バネ６５によって上方に付勢されているため、通常被係合歯部７２ａに係合歯部６０ｂが係合した状態となる。円板部７２の上面はアーチ屋根状に形成されており、変速操作装置１の上部外形を形成している。円筒部７１の内周には、筒軸１０のアウタースプライン１１と係合するように軸芯Ｘ方向に延びたインナースプライン７１ａが形成されており、この係合とナット１６の締め付けによりベース部材７０は筒軸１０に固定されている。
【００２０】
軸芯Ｘ方向の直線スライド変位操作体としての形態をもつ第２操作体８０は、リング部８１とこのリング部８１の上面から軸芯Ｘ方向に沿って延びた４個の脚部８２とから構成され、この脚部８２はベース部材７０の貫通孔７３に下面側から差し込まれれ、貫通孔７３を往復摺動する。図４から明らかなように、リング部８１の下面には、アイドラー６０の被ガイド部６０ｃの傾斜面と接当可能な傾斜面をもつ６個のガイド部８１ａが周方向に分布配置されている。第２操作体８０を押し下げることによって、アイドラー６０の被ガイド部６０ｃと第２操作体８０のガイド部８１ａが接当し、さらにアイドラー６０を第２バネ６５に抗して押し下げることで、ベース部材７０の被係合歯部７２ａとアイドラー６０の係合歯部６０ｂとを離脱させることができる。アイドラー６０とベース部材７０との係合が外れると、巻取体５０と連動回転するアイドラー６０は、操作ケーブル４の引張力、これは一般には変速装置のリターンバネに基づくものであるが、この引張力によって回転するが、第２バネ６５とガイド部８１ａの傾斜面の傾斜方向によりアイドラー６０の係合歯部６０ｂは次のベース部材７０の被係合歯部７２ａに係合するように移動する。つまり、アイドラー６０の係合歯部６０ｂとベース部材７０の被係合歯部７２ａは、巻取体５０を所定の回転位置に保持する保持係合機構７を作り出している。また、第２操作体８０のガイド部８１ａとアイドラー６０の被ガイド部６０ｃは、巻取体５０の回転位置の変更のためアイドラー６０の係合歯部６０ｂを次のベース部材７０の被係合歯部７２ａに係合させる傾斜ガイド機構８を作り出している。
【００２１】
第２操作体８０は、上方から押し付け操作されるため、脚部８２の先端にキャップ９０が装着される。第２操作体８０が第２バネ６５によって上方位置に保持されている際このキャップ９０の上面はベース部材７０の円板部７２の上面とほぼ同レベルになるように設計されており、このキャップ９０が第２操作体８０に操作ボタンのような外観を与えている。
【００２２】
キャップ９０とナット１６との間には第３バネ８５が介装されており、第２操作体８０をホームポジションである操作始端位置に維持するように付勢している。
【００２３】
この実施形態の変速操作装置１では、第１操作体２０の操作始端から操作終端までの揺動変位によって巻取体５０を巻き上げ操作し、第２操作体８０の操作始端から操作終端までの直線スライド変位によって巻取体５０を巻き戻し操作する。第２操作体８０は第３バネ８５によって操作終端から操作始端へ復帰させられ、第１操作体２０はここでは図示されていない復帰バネにより操作終端から操作始端へ復帰させらる。
【００２４】
以下図１０と図１１を用いてこの変速操作装置１の変速操作時の作用を説明する；
なお、図１０は巻取体５０の巻き上げ操作を示しており、その中で第１操作体２０とクラッチ部材３０と固定ガイド部材４０と巻取体５０とがその動きだけを理解することを目的として模式的に示されており、実際の構造を表しているわけではない。同様に、図１１は巻取体５０の巻き戻し操作を示しており、その中で巻取体５０とアイドラー６０とベース部材７０と第２操作体８０とがその動きだけを理解することを目的として模式的に示されており、実際の構造を表しているわけではない。
【００２５】
まず第１操作体２０を用いた巻き上げ操作から説明する。
図１０（ａ）は変速操作前の状態を示しており、第１操作体２０はホームポジションである操作始端に位置している。この状態では、カム機構５のカムフォロア３０ｃの傾斜面はカム４１ａの傾斜面の頂部付近に接当しており、第１バネ３５の付勢力にもかかわらずクラッチ部材３０はこの位置で静止しており、その際噛み合い機構６の係合歯部３０ｂと被係合歯部６とが離脱しており、巻き戻し方向に付勢されている巻取体５０はアイドラー６０を介して固定ベース部材７０によって保持されている。この噛み合い機構６が離脱している位置をクラッチ部材３０の第１位置と称する。この状態の変速操作装置１の部分断面図が図１に示されている。
【００２６】
図１０（ｂ）は、第１操作体２０を図示されていない復帰バネの付勢力に抗して巻き上げ方向に揺動し始めた状態を示している。この第１操作体２０の揺動により、第１バネ３５の付勢力でカムフォロア３０ｃはカム４１ａの傾斜面を滑り下り始め、その結果噛み合い機構６の係合歯部３０ｂと被係合歯部５１ａとが係合する位置に近づいていく。クラッチ部材３０は、第１操作体２０に対してはインナースプライン２６ａとアウタースプライン３０ａを用いて軸芯Ｘ方向に摺動する。
【００２７】
図１０（ｃ）は、第１操作体２０がさらに揺動し、クラッチ部材３０が巻取体５０に接近し、噛み合い機構６の係合歯部３０ｂと被係合歯部６が完全に係合する状態を示している。噛み合い機構６が係合している位置をクラッチ部材３０の第１位置と称する。さらなる第１操作体２０の揺動は噛み合い機構６を介して巻取体５０を巻き上げ方向に回転させていく。
【００２８】
図１０（ｄ）は、第１操作体２０が操作終端位置まで揺動された状態を示している。この状態では巻取体２０は次の変速位置に対応する回転位置まで回転しており、これにより変速装置は次の変速位置に切り換わる。この状態の変速操作装置１の部分断面図が図１２に示されている。
【００２９】
図１０（ｅ）は、変速操作が終了した第１操作体２０が図示されていない復帰ばねの作用で、あるいは手動により、ホームポジションに戻り始めた状態を示している。次の変速位置に対応する回転位置まで回転した巻取体２０は、アイドラー６０と固定ベース部材７０の間に設けられている保持係合機構７により、その位置に保持される。つまり保持係合機構７は、アイドラー６０、つまり巻取体５０の巻き上げ方向の回転は許すが、巻取体５０の巻き戻し方向の回転は禁止しているからである。このことから、クラッチ部材３０は、係合歯部３０ｂが被係合歯部５１ａの傾斜面を沿って摺動するにともなって巻取体５０から離脱していく。
【００３０】
図１０（ｆ）は、第１操作体２０が再びホームポジションに復帰した状態を示している。この状態では、図１０（ａ）と同様、カム機構５のカムフォロア３０ｃの傾斜面はカム４１ａの傾斜面の頂部付近に接当していることからクラッチ部材３０は第１位置に戻り、噛み合い機構６の係合歯部３０ｂと被係合歯部６はその係合を解いている。
【００３１】
次に、第２操作体８０を用いた巻き戻し操作を説明する。
図１１（ａ）は変速操作前の状態を示しており、第２操作体８０はホームポジションである操作始端に位置している。この状態では、保持係合機構７の係合歯部６０ｂは被係合歯部７２ａに噛み合っており、アイドラー６０、つまり巻取体５０は操作ケーブル４による巻き戻し方向のトルクにもかかわらず、固定ベース部材７０に保持されている。この係合歯部６０ｂと被係合歯部７２ａの係合を確実なものとするため、アイドラー６０は第２バネ６５によって固定ベース部材７０の方へ付勢されている。この係合歯部６０ｂが被係合歯部７２ａに係合しているアイドラー６０の位置を第１位置と称する。この状態の変速操作装置１の部分断面図が図１に示されている。
【００３２】
図１１（ｂ）は、第２操作体８０が第３バネ８５の付勢力に抗して押し込まれ、第２操作体８０の先端に設けられたガイド部８１ａの傾斜面とアイドラー６０に設けられた被ガイド部６０ｃの傾斜面とが接当し、第２操作体８０がアイドラー６０を第１位置から図面右方に移動させている状態を示している。このアイドラー６０の右方への移動により保持係合機構７の係合歯部６０ｂは被係合歯部７２ａから離脱し始める。
【００３３】
図１１（ｃ）は、第２操作体８０がさらに操作終端位置まで押し込まれ、その結果保持係合機構７の係合歯部６０ｂが被係合歯部７２ａから離脱する第２位置までアイドラー６０が移動した状態を示している。この状態の変速操作装置１の部分断面図が図１３に示されている。
【００３４】
図１１（ｄ）は、保持係合機構７の係合が外れ、アイドラー６０が巻き戻し方向に回転し始めた状態を示している。係合歯部６０ｂが被係合歯部７２ａから離脱すると、アイドラー６０には、巻き戻し方向に回転しようとする力と第２バネにより固定ベース部材７０の方に押しやる力が作用し、かつ傾斜ガイド機構８を構成するガイド部８１ａの傾斜面とアイドラー６０に設けられた被ガイド部６０ｃの傾斜面の傾斜方向とから、アイドラー６０の係合歯部６０ｂは固定ベース部材７０の次の被係合歯部７２ａに係合するように移動する。
【００３５】
図１１（ｅ）は、さらにアイドラー６０が巻取体５０とともに巻き戻し方向に回転している状態を示している。アイドラー６０は、その回転にともなって、第２バネ６５により固定ベース部材７０の方に移動し、第１位置に戻っていく。同時に第２操作体８０も第３バネ８５により操作始端位置に戻っていく。
【００３６】
図１１（ｆ）は、アイドラー６０の係合歯部６０ｂが固定ベース部材７０の次の被係合歯部７２ａに係合して静止した状態を示している。この過程で、巻取体５０はインナースプライン５３ｂとアウタースプライン６０ａを介してアイドラー６０と一体的に回転するため、この一連のアイドラー６０の回転変位により変速ケーブルが１変速段に対応する長さだけ巻き戻される。これにより、変速装置の変速切り換えが完了する。
【００３７】
上記の実施の形態において、カム機構５、噛み合い機構６、保持係合機構７、そして傾斜ガイド機構８の具体的構造として、傾斜突起形状が採用されていたが、本発明は、この形状に限定しているのではなく、公知の種々の幾何学的形状による係合構造や力学的係合構造を採用することができる。
【図面の簡単な説明】
【図１】本発明による変速操作装置の実施形態を示す部分断面側面図
【図２】図１による変速操作装置の平面図
【図３】図１による変速操作装置の主要構成要素の分解説明図
【図４】図２の矢視IVからみた平面図
【図５】図２の矢視V からみた平面図
【図６】図２の矢視VIからみた平面図
【図７】図２の矢視VII からみた平面図
【図８】図２の矢視VIIIからみた平面図
【図９】図２の矢視IXからみた平面図
【図１０】図１による変速操作装置の巻き上げ動作を示す展開模式図
【図１１】図１による変速操作装置の巻き戻し動作を示す展開模式図
【図１２】図１による変速操作装置の主要部の拡大部分断面側面図
【図１３】図１による変速操作装置の主要部の拡大部分断面側面図
【符号の説明】
１      変速操作装置
４      変速ケーブル
５      カム機構
６      噛み合い機構
７      保持係合機構
８      傾斜ガイド機構
２０      第１操作体
３０      クラッチ部材
４０      固定ガイド部材
５０      巻取体
６０      アイドラー
７０      ベース部材
８０      第２操作体
【図１】
0003636528.tif 000002
【図２】
0003636528.tif 000003
【図３】
0003636528.tif 000004
【図４】
0003636528.tif 000005
【図５】
0003636528.tif 000006
【図６】
0003636528.tif 000007
【図７】
0003636528.tif 000008
【図８】
0003636528.tif 000009
【図９】
0003636528.tif 000010
【図１０】
0003636528.tif 000011
【図１１】
0003636528.tif 000012
【図１２】
0003636528.tif 000013
【図１３】
0003636528.tif 000014